(57)【特許請求の範囲】
【請求項１】
草刈機の作業棒の駆動軸に設置される刃を保護するために前記刃の下部に位置するように前記駆動軸と結合され前記刃の回転直径より相対的に大きい直径を有する突出部が円周方向に沿って相互離隔して形成され前記刃を保護する保護プレートと、
中空を有する内輪と、前記内輪に対して相対回転可能に同心上に前記内輪外側に結合された外輪を有するベアリングと、前記ベアリングの中空に挟まれ前記草刈機刃の駆動軸が貫通するように軸貫通孔が形成された挿入部と、前記挿入部の上部に前記挿入部より外径が拡張するように形成され前記草刈機刃の底面と密着する支持部と、前記挿入部の下部の外側面に中心方向に向かって引き込まれるように円周面に沿って形成された装着溝を通じて装着され前記挿入部外側に挿入された前記ベアリングの内輪を上方に弾性的に支持して前記挿入部に前記ベアリングを結束させる結束リングを有する軸支持部材を有し、かつ前記支持部の上面から前記挿入部の軸貫通孔に続く内側面は前記草刈機の刃中央部分と離隔して下方に引き込まれるように形成された第１溝部分と、前記第１溝部分から下方に延長されて第１内径を有する第２溝部分と、前記第２溝部分の下段において前記第１内径より小さい第２内径を有するように下方に延長された第３溝部分と、前記第３溝部分において前記第２内径より拡張された第３内径を有するように下方に延長された第４溝部分を有するように形成されたベアリングユニットと、前記保護プレートと前記作業棒との間に結合されて前記保護プレートに弾性バイアスを印加することができるように結合されたスプリング部材と、前記スプリング部材を取り囲むように延長されて前記保護プレートが前記スプリング部材の復元力によって揺動するときに曲がることを防止する保護管を有する揺動支持部と、
を備えることを特徴とする草刈機用保護カバー。
【請求項２】
前記草刈機刃の下部に設置される前記保護プレートの上部に前記軸支持部材を外れた位置において前記ベアリングの外輪を円周方向に沿って取り囲むように前記保護プレートに結合される第１異物遮断部材をさらに備え、
前記第１異物遮断部材は前記保護プレートの上面に締結部材を通じて着脱自在に結合される第１フランジ部と、前記第１フランジ部から上方に突出され内周面が前記ベアリングの外輪と対向するが前記ベアリングより高さが低く形成された円筒部と、を含み、
前記軸支持部材の前記支持部の周りには前記円筒部の内側面の一部まで進入するように下方に延長されて異物が前記ベアリングに流入することを防ぐ異物遮断段差をさらに備えることを特徴とする請求項１に記載の草刈機用保護カバー。
【請求項３】
前記挿入部の第４溝部分の天井面には前記草刈機刃の駆動軸に形成されたねじ山とねじ結合される締結ナットの前記挿入部との結合力を高めるために相互離隔して下方に突出した複数の結合強化突起がさらに形成されており、前記結束リングは環形に形成されるが終端が切断された環形部分と、前記環形部分の終端にそれぞれ外径が拡張される方向に突出され、かつ前記環形部分に対して上方に傾斜して形成され前記ベアリングの内輪下部を上方に弾性的に支持する傾斜支持片と、を有する形状に形成されたことを特徴とする請求項２に記載の草刈機用保護カバー。
【請求項４】
前記保護プレートの底面で着脱自在に結合され前記ベアリングの外輪を支持しながら前記ベアリングの下部を取り囲む形状に形成され前記ベアリング内への異物の流入を遮断する第２異物遮断部材をさらに備えることを特徴とする請求項３に記載の草刈機用保護カバー。
【請求項５】
前記駆動軸の外径が縮小するとき装着できるように前記挿入部の第２溝部分に安着して前記第３溝部分まで延長するように前記挿入部に着脱自在に形成され前記第２内径より内径が小さい貫通溝が形成された補助軸支持部材をさらに備えることを特徴とする請求項４に記載の草刈機用保護カバー。
【請求項６】
草刈機の刃の下部に装着される草刈機用保護カバー用ベアリングユニットにおいて、
中空を有する内輪と、前記内輪に対して相対回転可能に同心上に前記内輪外側に結合された外輪を有するベアリングと、
前記ベアリングの中空に嵌められ、草刈機刃の駆動軸が貫通するように軸貫通孔が形成された挿入部と、前記挿入部の上部に前記挿入部より外径が拡張するように形成され前記草刈機刃の底面と密着する支持部と、前記挿入部の下部の外側面に中心方向に向かって引き込まれるように円周面に沿って形成された装着溝を通じて装着され前記挿入部外側に挿入された前記ベアリングの内輪を上方に弾性的に支持して前記挿入部に結束させる結束リングを有する軸支持部材と、を備え、
前記軸支持部材は前記支持部の上面から前記挿入部の軸貫通孔に続く内側面は前記草刈機の刃中央部分と離隔して下方に引き込まれるように形成された第１溝部分と、前記第１溝部分から下方に延長されて第１内径を有する第２溝部分と、前記第２溝部分の下段において前記第１内径より小さい第２内径を有するように下方に延長された第３溝部分と、前記第３溝部分において前記第２内径より拡張された第３内径を有するように下方に延長された第４溝部分と、を有するように形成されたことを特徴とするベアリングユニット。
【請求項７】
前記草刈機刃の下部に設置される前記保護プレートの上部に前記軸支持部材を外れた位置において前記ベアリングの外輪を円周方向に沿って取り囲むように前記保護プレートに結合される第１異物遮断部材をさらに備え、
前記第１異物遮断部材は、前記保護プレートの上面に締結部材を通じて着脱自在に結合される第１フランジ部と、前記第１フランジ部から上方に突出され内周面が前記ベアリングの外輪と対向するが前記ベアリングより高さが低く形成された円筒部と、を含み、
前記軸支持部材の前記支持部の周りには、前記円筒部の内側面の一部まで進入するように下方に延長されて異物が前記ベアリングに流入することを防ぐ異物遮断段差をさらに備えることを特徴とする請求項６に記載のベアリングユニット。
【請求項８】
前記挿入部の第４溝部分の天井面には、前記草刈機刃の駆動軸に形成されたねじ山とねじ結合される締結ナットの前記挿入部との結合力を高めるために相互離隔して下方に突出した複数の結合強化突起がさらに形成されており、
前記結束リングは、環形に形成され、かつ終端が切断された環形部分と、前記環形部分の終端にそれぞれ外径が拡張される方向に突出され、かつ前記環形部分に対して上方に傾斜して形成され前記ベアリングの内輪下部を上方に弾性的に支持する傾斜支持片と、を有する形状に形成されたことを特徴とする請求項７に記載のベアリングユニット。
【請求項９】
前記保護プレートの底面で着脱自在に結合され前記ベアリングの外輪を支持しながら前記ベアリングの下部を取り囲む形状に形成され前記ベアリング内への異物の流入を遮断する第２異物遮断部材をさらに備えることを特徴とする請求項８に記載のベアリングユニット。
【請求項１０】
前記駆動軸の外径が縮小するとき装着できるように前記挿入部の第２溝部分に安着して前記第３溝部分まで延長するように前記挿入部に着脱自在に形成され前記第２内径より内径が小さい貫通溝が形成された補助軸支持部材をさらに備えることを特徴とする請求項９に記載のベアリングユニット。
【発明の詳細な説明】
【技術分野】
【０００１】
本発明は、草刈機用保護カバー及びこれに適用されるベアリングユニットに関するもので、さらに詳しくは、草刈機の刃駆動軸の外径サイズ差による保護カバーの揺動を抑制することができるようになっている草刈機用保護カバー及びこれに適用されるベアリングユニットに関する。
【背景技術】
【０００２】
草刈機は、作業棒の回転軸の下段に刃を装着して外部に露出された状態で使用することにより、無意識的に子供を含む人が近づいたときに、事故が発生する恐れがあり、作業途中に刃が地面の物体と衝突した場合、刃が回転する速度によって地面上の物体が飛び跳ねる場合がよく発生していた。
【０００３】
また、作業の際に刃が対象物と衝突して曲がったり切れたりする場合があり、その衝撃により使用者が作業棒を落とすなど２次的事故が生じる恐れがある。
【０００４】
これに対し、韓国登録実用新案第２１４８９２号などの文献では、刃を保護した状態で雑草を円滑に切断するように、刃の底部に安全板を備えて事故を防止するようにした草刈機が複数開示されている。
【０００５】
ところが、上記の草刈機の場合にも、時間の経過により作業途中作業棒を下ろしたり、集中力の低下により安全板が地面に接すると、保護板が地面を突っ込み地中に入り込むという問題などにより、円滑な雑草の切断が難しく、これにより作業効率の低下を引き起こすという短所があった。
【０００６】
このような問題を解消するための考案が韓国登録実用新案第２０−０４３９９５１号に開示されている。
【０００７】
しかし、上記開示された従来の刃保護用草刈機の場合、刃を保護するための刃保護板が刃を回転させる駆動モータの駆動力によって一緒に回転する回転力を受けるため、連結地点の破損が生じる恐れがあった。
【０００８】
また、韓国特許出願第１０−２００９−００４１７３２号には、刃を保護する保護板が所定角度回転できるように支持されているプレート回転支持手段を備える草刈機用保護カバーが開示されている。
【０００９】
一方、従来の草刈機用保護カバーは、様々な製造メーカから製造される草刈機の刃の駆動軸の外径が異なる場合、駆動軸の外径に合わせて保護カバーの揺動を抑制することができないため、駆動軸の外径が相対的に小さい場合、駆動軸と結合される要素との離隔空間が大きくなることで、草を切断する過程で刃を通じて印加される上下方の力に対して駆動軸の安定した支持力を確保することができず、駆動軸が曲がったり、揺動が増加して駆動軸を固定する締結ナットが簡単に解れたりするという問題がある。
【発明の概要】
【発明が解決しようとする課題】
【００１０】
本発明は、上記の問題点を解決するためになされたもので、様々な草刈機の刃の駆動軸の外径差に対しても、駆動軸との離隔空間を最小化して駆動軸を支持することができる草刈機用保護カバー及びこれに適用されるベアリングユニットを提供することにその目的がある。
【課題を解決するための手段】
【００１１】
上記の目的を達成すべく、本発明による草刈機用保護カバーは、草刈機の作業棒の駆動軸に設置される刃を保護するために上記刃の下部に位置するように上記駆動軸と結合され上記刃の回転直径より相対的に大きい直径を有する突出部が円周方向に沿って相互離隔して形成されて上記刃を保護する保護プレートと、中空を有する内輪と、上記内輪に対して相対回転可能に同心上に上記内輪の外側に結合された外輪を有するベアリングと、上記ベアリングの中空に嵌められ、上記草刈機刃の駆動軸が貫通するように軸貫通孔が形成された挿入部と、上記挿入部の上部に上記挿入部より外径が拡張するように形成されて上記草刈機刃の底面と密着する支持部と、上記挿入部の下部の外側面に、中心方向に向かって引き込まれるように、円周面に沿って形成された装着溝を通じて装着され、上記挿入部の外側に挿入された上記ベアリングの内輪を上方に弾性的に支持して上記挿入部に上記ベアリングを結束させる結束リングを有する軸支持部材を有するが、上記支持部の上面から上記挿入部の軸貫通孔に続く内側面は、上記草刈機の刃中央部分と離隔して下方に引き込まれるように形成された第１溝部分と、上記第１溝部分から下方に延長されて第１内径を有する第２溝部分と、上記第２溝部分の下段において上記第１内径より小さい第２内径を有するように下方に延長された第３溝部分と、上記第３溝部分において上記第２内径より拡張された第３内径を有するように下方に延長された第４溝部分を有するように形成されたベアリングユニットと、上記保護プレートと上記作業棒との間に結合されて上記保護プレートに弾性バイアスを印加することができるように結合されたスプリング部材と、上記スプリング部材を取り囲むように延長されて上記保護プレートが上記スプリング部材の復元力によって揺動するときに曲がることを防止する保護管を有する揺動支持部と、を備える。
【００１２】
好ましくは、上記草刈機刃の下部に設置される上記保護プレートの上部に上記軸支持部材を外れた位置において、上記ベアリングの外輪を円周方向に沿って取り囲むように上記保護プレートに結合される第１異物遮断部材と、をさらに備え、上記第１異物遮断部材は上記保護プレートの上面に締結部材を通じて着脱自在に結合される第１フランジ部と、上記第１フランジ部から上方に突出され内周面が上記ベアリングの外輪と対向するが上記ベアリングより高さが低く形成された円筒部を含み、上記軸支持部材の上記支持部の周りには上記円筒部の内側面の一部まで進入するように下方に延長されて異物が上記ベアリングに流入することを防ぐ異物遮断段差をさらに備える。
【００１３】
また、上記挿入部の第４溝部分の天井面には上記草刈機刃の駆動軸に形成されたねじ山とねじ結合される締結ナットの上記挿入部との結合力を高めるために相互離隔して下方に突出した複数の結合強化突起と、がさらに形成されており、上記結束リングは環形に形成されるが終端が切断された環形部分と、上記環形部分の終端にそれぞれ外径が拡張される方向に突出されるが上記環形部分に対して上方に傾斜して形成され上記ベアリングの内輪下部を上方に弾性的に支持する傾斜支持片を有する形状に形成される。
【００１４】
また、上記保護プレートの底面で着脱自在に結合され上記ベアリングの外輪を支持しながら上記ベアリングの下部を取り囲む形状に形成され、上記ベアリング内への異物の流入を遮断する第２異物遮断部材と、をさらに備えることが好ましい。
【００１５】
上記駆動軸の外径が縮小するとき装着できるように上記挿入部の第２溝部分に安着して上記第３溝部分まで延長するように上記挿入部に着脱自在に形成され、かつ上記第２内径より内径が小さい貫通溝が形成された補助軸支持部材と、をさらに備えることができる。
【発明の効果】
【００１６】
本発明の草刈機用保護カバー及びこれに適用されるベアリングユニットによれば、草刈機の刃駆動軸の外径差に対しても駆動軸との離隔を最小にしながら駆動軸を支持することができる構造になっており、草刈機との締結力を高めることができる。
【図面の簡単な説明】
【００１７】
【図１】本発明による草刈機用保護カバーを示した斜視図である。
【図２】図１の草刈機用保護カバーの一部を分離して図示した分解斜視図である。
【図３】図１の草刈機用保護カバーの断面図である。
【図４】図３の挿入部に補助軸支持部材が挿入された状態を示した断面図である。
【発明を実施するための形態】
【００１８】
以下、添付の図面を参照して本発明の好ましい実施例による草刈機用保護カバー及びこれに適用されるベアリングユニットをさらに詳しく説明する。
【００１９】
図１は本発明による草刈機用保護カバーを示した斜視図であり、図２は図１の草刈機用保護カバーの一部を分離して図示した分解斜視図であり、図３は図１の草刈機用保護カバーの断面図である。
【００２０】
図１乃至図３を参照すると、草刈機用保護カバー１００は、保護プレート１１０、ベアリングユニット１４０、揺動支持部１７０を有する構造となっている。
【００２１】
先ず、草刈機用保護カバー１００が適用された草刈機は、作業棒３０の下段に下方に突出された駆動軸４１を通じて装着される刃２０を回転させるようになっている。
【００２２】
このような草刈機は、電動モータを利用して駆動軸を回転する方式、燃料により駆動されるエンジンから発生する動力を作業棒３０を通じて駆動軸４１まで動力伝達要素を通じて伝達する方式など、様々な構造が知られており、これについての詳しい説明は省略する。
【００２３】
保護プレート１１０は、後述するベアリングユニット１４０及び揺動支持部１７０により支持されて草刈機の作業棒３０の終端に装着された刃２０の下部に装着される。
【００２４】
保護プレート１１０は、中央に貫通溝１１２が形成されたベース部分１１１と、ベース部分１１１から放射状に相互離隔して突出した突出部１１３と、を有する構造となっている。
【００２５】
ベース部分１１１の直径は、刃２０の直径よりは短く形成され、突出部１１３の長さは刃２０より相対的に長く形成されている。このような保護プレート１１０は、地面の小石のような障害物が刃２０より保護プレート１５２に先に干渉するようになっており、刃を保護する役割をし、突出部１１３同士の間の引き込み溝１１７の領域は刃により草を切断する領域を提供する。
【００２６】
ベース部分１１１は、中央に形成された貫通溝１１４を中心として後述するベアリング１４１の外輪１４１ｂ上面と密着するように形成された上部密着部分１１１ａと、上部密着部分１１１ａから外径が拡張される方向に、下方に傾斜して形成された傾斜部分１１１ｂと、傾斜部分の終端から水平状に延長されて後述する第１及び第２異物遮断部材１６１１７１の結合領域を提供する水平部分１１１ｃと、水平部分が終端から下方に引き込まれた後、水平状に延長された谷形成部分を有する構造となっている。
【００２７】
参照符号１１３ａは、後述する揺動支持部１７０と結合され上方に折り曲がって他突出部１１３より外径が拡張された形状に形成された結合用突出部である。
【００２８】
ベアリングユニット１４０は、刃２０と保護プレート１１０との間に結合されて駆動軸４１を回転可能に支持できるようになっている。
【００２９】
ベアリングユニット１４０は、ベアリング１４１、軸支持部材１５０を備える。
【００３０】
ベアリング１４１は、中空１４２を有する内輪１４１ａと、内輪１４１ａに対して相対回転可能に同心上に内輪１４１ａの外側に結合された外輪１４１ｂと、を有する構造となっている。
【００３１】
このようなベアリング１４１は、内輪１４１ａと外輪１４１ｂとが電動体であるボール（未図示）により相互連結されたボールベアリングなど、様々な形態のベアリングが適用され得る。
【００３２】
軸支持部材１５０は、駆動軸４１が挿入されるように形成され、ベアリング１４１の中空１４２に嵌められて保護プレート１１０の上下部で保護プレート１１０を支持できるようにＴ字状に形成されており、これを区分すると、挿入部１５２、支持部１５６及び結束リング１８１になっている。
【００３３】
挿入部１５２は、ベアリング１４１の中空１４２に挟まれる部分であり、ベアリング１４１の厚さより長く形成され、草刈機刃２０の駆動軸４１が貫通するように軸貫通孔１５３が形成されている。軸貫通孔１５３の詳細構造は後述する。
【００３４】
支持部１５６は、挿入部１５２と一体に形成されており、挿入部１５２の上部に挿入部１５２より外径が拡張するように水平状に延長するように形成され、草刈機刃２０の底面と密着する部分である。
【００３５】
支持部１５６の周りには、後述する第１異物遮断部材１６１の円筒部１６１ｂの内側面の一部まで進入するように、下方に延長されて異物がベアリング１４１に流入することを防ぐ異物遮断段差１５８が形成されている。
【００３６】
結束リング１８１は、挿入部１５２の下部の外側面に中心方向に向かって引き込まれるように円周面に沿って形成された装着溝１５４を通じて装着され、挿入部１５２の外側に挿入されたベアリング１４１の内輪１４１ａを上方に弾性的に支持して挿入部１５２に結束させる。
【００３７】
結束リング１８１は、環形に形成されるが終端が切断されたＯ字状の環形部分１８１ａと、環形部分１８１ａの終端にそれぞれ外径が拡張される方向に突出されるが、環形部分１８１ａに対して上方に傾斜して四角形状に形成され、ベアリング１４１の内輪１４１ａの下部を上方に弾性的に支持する二つの傾斜支持片１８１ｂを有する形状に形成されている。
【００３８】
このような結束リング１８１は、組立て過程において保護プレート１１０の下部に装着されるベアリング１４１に対して軸支持部材１５０の挿入部１５２の装着溝１５４を通じて結合されるとき、傾斜支持片１８１ｂがベアリング１４１の内輪１４１ａの下部によって下方に干渉されて、ベアリング１４１の内輪１４１ａの下部を上方に弾性的に支持して内輪１４１ａと挿入部１５２との結合力を強化させる。
【００３９】
一方、駆動軸４１が挿入される軸支持部材１５０の軸貫通孔の構造をみると、支持部１５６の上面から挿入部１５２の軸貫通孔に続く内側面は、草刈機の刃２０の中央と離隔して下方に引き込まれるように形成された第１溝部分１５５ａと、第１溝部分１５５ａから下方に延長されて第１内径を有する第２溝部分１５５ｂと、第２溝部分１５５ｂの下段において第１内径より小さい第２内径を有するように下方に延長された第３溝部分１５５ｃと、第３溝部分１５５ｃで第２内径より拡張された第３内径を有するように下方に延長された第４溝部分１５５ｄと、を有するように形成されている。
【００４０】
ここで、第１溝部分１５５ａは、刃２０の中央に駆動軸４１より十分大きく形成された貫通溝の大きさによって刃２０との支持が許容されない部分を考えて形成された部分であり、第２溝部分１５５ｂは、後述する補助軸支持部材（図４参照；２５１）が着脱できる装着段差を提供するためのもので、第３溝部分１５５ｃは市販されている草刈機の駆動軸４１のうち最も大きい外径を有する駆動軸４１が通過できるほどの大きさに形成された部分であり、第４溝部分１５５ｄは、駆動軸４１のねじ山と結合される締結ナット４５の締結空間を提供するためのものである。
【００４１】
このような挿入部１５２の構造によると、保護プレート１１０を装着しようとする草刈機の駆動軸４１の外径が第３溝部分１５５ｃの内径より大きな差で小さい場合、図４に示すように、補助軸支持部材２５１を挿入して使用すれば良い。
【００４２】
補助軸支持部材２５１は、挿入部１５２の第２溝部分１５５ｂが安着するように、第３溝部分１５５ｃより大きい外径を有する頭部分から頭部分より外径が小さく段差のあるように延長され、第３溝部分１５５ｃを通じて挿入されるように形成されるが、第３部分の第２内径より小さく、駆動軸４１が貫通できる内径を有する貫通溝が形成されたものを適用すれば良い。
【００４３】
また、挿入部１５２の第４溝部分１５５ｄの天井面には、駆動軸４１に形成されたねじ山とねじ結合される締結ナット４５の挿入部１５２との結合力を高めるために相互離隔して下方に突出した複数の結合強化突起１５７が形成されている。
【００４４】
第１異物遮断部材１６１は、保護プレート１１０が組立てられた状態で保護プレート１１０と刃２０及び軸支持部材１５０の間を通して流入される異物のベアリング１４１内への流入を遮断するために保護プレート１１０の上部からベアリング１４１の外輪１４１ｂを円周方向に沿って取り囲むように保護プレート１１０の上面に結合されている。
【００４５】
第１異物遮断部材１６１は、保護プレート１１０の水平部分１１１ｃの上面に締結部材１６３を通じて着脱自在に結合される第１フランジ部１６１ａと、第１フランジ部１６１ａから上方に突出され内周面がベアリング１４１の外輪１４１ｂに対向し、かつベアリング１４１より高さが低く形成された円筒部１６１ｂと、を有する形状に形成されている。
【００４６】
また、第２異物遮断部材１７１は、保護プレート１１０の下部からベアリング１４１への異物の流入を遮断しながらベアリング１４１の外輪１４１ｂを支持することができるように保護プレート１１０の水平部分１１１ｃ底面で締結部材１６３を通じて着脱自在に結合され、ベアリング１４１の外輪１４１ｂを支持しながらベアリング１４１の下部を取り囲む形状に形成されている。
【００４７】
第２異物遮断部材１７１は、保護プレート１１０の水平部分１１１ｃの底面と結合される第２フランジ部分１７１ａと、フランジ部分１７１ａから下方に延長された後、ベアリングの外輪１４１ｂを支持するように中央部分に折り曲がり、かつ貫通溝１７３を形成する終端は内輪１４１から離隔されて形成されたコップ状のボディ部分１７１ｂと、を有する構造となっている。
【００４８】
一方、保護プレートの下部のベアリング１４１及び軸支持部材１５０を完全にカバーできるように、下部が閉鎖された図３の補助カバー１８５が保護プレート１１０の底面を通じて結合できることは言うまでもない。
【００４９】
揺動支持部１７０は、刃２０の回転の際に保護プレート１１０の部分的な回転を許容し、かつ一定角度以上への回転の許容を遮断できるように、保護プレート１１０の結合用突出部１１３ａが形成された溝と作業棒３０の固定ブラケット１７５との間に結合されて保護プレート１１０に弾性バイアスを印加することができるように結合されたスプリング部材１７１と、スプリング部材１７１を取り囲むように延長されて保護プレート１１０がスプリング部材１７１の復元力によって揺動するときに曲がることを防止する保護管１７３と、を有する構造となっている。
【００５０】
ここで、保護管１７３は、スプリング部材１７１を保護すると同時に、保護プレート１１０と刃２０との間の離隔距離を一定距離に保ち、保護プレート１１０が所定角度回転した後、スプリング部材１７１の復元力によって初期位置に復帰する過程でスプリング部材１７１の引力が大きく作用し過ぎるときにも、スプリング部材１７１と連結された保護プレート１１０の一側が上方に引き上げられることを抑制して保護プレート１１０の一側が浮いてしまうという変形を防止する。
【００５１】
以上に説明した保護カバー１００は、図３に図示されたとおり組立てられた状態で、刃２０、駆動軸４１、軸支持部材１５０、締結ナット４５、ベアリング１４１の内輪１４１ａは、相互密着固定して駆動軸４１の回転に連動して回転し、ベアリング１４１の外輪１４１ｂ、保護プレート１１０、第１及び第２異物遮断部材１６１１７１は、ベアリングの外輪１４１ｂに固定される。
【符号の説明】
【００５２】
１１０  保護プレート、１４０  ベアリングユニット、１４１  ベアリング、１５０  軸支持部材
【図１】
0005457610.tif 000002
【図２】
0005457610.tif 000003
【図３】
0005457610.tif 000004
【図４】
0005457610.tif 000005